(57)【要約】【課題】制御基板に実装される受光手段の受光面を防塵し得る光学的情報読取装置を提供する。【解決手段】制御基板２６がその下面２６ｂにて筐体１１の底面１１ａに近接するように当該筐体１１内に配置されており、この制御基板２６の上面２６ａには、受光センサ２８が、その受光面２８ａにて当該上面２６ａに向かう光を受光可能に実装されている。また、制御基板２６の上面２６ａ上には、受光センサ２８のみを覆うようにカバー５０が固定されており、このカバー５０は、反射光Ｌｒが透過するカバー本体５１の透過部５１ａとこの透過部５１ａを透過した反射光Ｌｒを受光面２８ａに向けて反射するミラーフィルム５２とを有している。【選択図】図３
2010113403.tif 000002
【特許請求の範囲】
【請求項１】
読取口を有する筐体と、
前記筐体の底面に一側面が近接するように当該筐体内に配置される制御基板と、
前記読取口を介する情報コードからの反射光を受光する受光手段であってその受光面が前記制御基板の他側面に向かう光を受光可能に当該他側面に実装される受光手段と、
前記受光手段のみを覆うように前記他側面上に固定される防塵部材と、
を備え、
前記防塵部材は、前記反射光が透過する透過部とこの透過部を透過した前記反射光を前記受光面に向けて反射する反射部とを有することを特徴とする光学的情報読取装置。
【請求項２】
前記防塵部材は、前記反射光が透過可能であって前記受光手段のみを覆う防塵部材本体を備え、この防塵部材本体の一部が前記透過部を構成するとともに当該防塵部材本体の壁面に成膜される反射膜が前記反射部を構成することを特徴とする請求項１に記載の光学的情報読取装置。
【発明の詳細な説明】
【技術分野】
【０００１】
本発明は、光学的情報読取装置に関するものである。
【背景技術】
【０００２】
従来より、バーコード等の識別コードからの反射光を受光手段により受光して当該識別コードを読み取る光学的情報読取装置として、下記特許文献１に示す光学的情報読取装置が知られている。この光学的情報読取装置では、筐体内に、受光手段として機能するラインイメージセンサおよび結像光学系を収容した受光ベースと受光カバーとを組み付けて、光学系が構成されている。これにより、ラインイメージセンサと結像光学系との位置関係を一定不変に保持するとともに、ラインイメージセンサの受光面に対して塵等を付着しにくくしている。
【特許文献１】実用新案登録第３０１７８１６号公報
【発明の開示】
【発明が解決しようとする課題】
【０００３】
しかしながら、上述のように複数の部材を単純に組み付けて形成される閉塞空間では、この閉塞空間内への塵等の進入を完全になくすことは困難であり、また、落下等の強い衝撃により各部材同士が擦れあって閉塞空間内に塵等が発生してしまう。このような閉塞空間内に受光手段を収容すると、受光手段の受光面に塵等が付着してしまい、読取性能の劣化を招くおそれがある。
【０００４】
特に、読取開始を指示するためのトリガースイッチが筐体の底面に配置される場合には、このトリガースイッチとの接点を下面側に設けた制御基板が筐体内の底部に配置される。このため、受光手段は、その受光面が筐体内にて上方を向くように制御基板の上面側に実装されることとなるので、周囲の埃等が受光面に付着しやすくなり、読取性能がさらに劣化してしまうおそれがある。
【０００５】
本発明は、上述した課題を解決するためになされたものであり、その目的とするところは、制御基板に実装される受光手段の受光面を防塵し得る光学的情報読取装置を提供することにある。
【課題を解決するための手段】
【０００６】
上記目的を達成するため、特許請求の範囲に記載の請求項１の光学的情報読取装置では、読取口（１８）を有する筐体（１１）と、前記筐体の底面に一側面（２６ｂ）が近接するように当該筐体内に配置される制御基板（２６）と、前記読取口を介する情報コード（Ｂ）からの反射光（Ｌｒ）を受光する受光手段（２８）であってその受光面（２８ａ）が前記制御基板の他側面（２６ａ）に向かう光を受光可能に当該他側面に実装される受光手段と、前記受光手段のみを覆うように前記他側面上に固定される防塵部材（５０）と、を備え、前記防塵部材は、前記反射光が透過する透過部（５１）とこの透過部を透過した前記反射光を前記受光面に向けて反射する反射部（５２）とを有することを技術的特徴とする。
【発明の効果】
【０００７】
請求項１の発明では、制御基板がその一側面にて筐体の底面に近接するように当該筐体内に配置されており、この制御基板の他側面には、受光手段が、その受光面にて当該他側面に向かう光を受光可能に実装されている。また、制御基板の他側面上には、受光手段のみを覆うように防塵部材が固定されており、この防塵部材は、反射光が透過する透過部とこの透過部を透過した反射光を受光面に向けて反射する反射部とを有している。
【０００８】
このように、防塵部材は受光手段のみを覆うので、防塵部材および制御基板の他側面によって受光手段が覆われる閉塞空間が小さくなり、この閉塞領域内にて埃等が発生する要因を減らすことができる。これにより、受光面が筐体内にて上方を向くように受光手段が制御基板の他側面に実装される場合でも、受光面への埃等の付着を確実に抑制することができる。また、防塵部材は、反射光が透過する透過部とこの透過部を透過した反射光を受光面に向けて反射する反射部とを有しているので、受光手段への反射光の受光が妨げられることもない。
したがって、制御基板に実装される受光手段の受光面を確実に防塵することができる。
【０００９】
請求項２の発明では、防塵部材は、反射光が透過可能であって受光手段のみを覆う防塵部材本体を備え、この防塵部材本体の一部が透過部を構成するとともに当該防塵部材本体の壁面に成膜される反射膜が反射部を構成する。これにより、防塵部材は、擦れあって埃等が発生してしまう複数の部材をなくすように構成されて受光手段のみを覆うので、防塵部材による受光手段の防塵効果をさらに高めることができる。
【発明を実施するための最良の形態】
【００１０】
以下、本発明の光学的情報読取装置をバーコードリーダに適用した一実施形態について図を参照して説明する。図１は、本実施形態に係るバーコードリーダ１０の要部を概念的に説明する説明図である。図２は、図１のバーコードリーダ１０の電気的構成を概略的に例示するブロック図である。図３は、カバー５０の詳細形状を示す拡大断面図である。
【００１１】
図１および図２に示すように、バーコードリーダ１０は、読取対象としての情報コード（図１および図２では物品Ｒに付されたバーコードＢを例示）を読み取る装置として構成されている。このバーコードリーダ１０は、筐体１１の内部に、図２に示す回路部２０が収容されてなるものであり、この回路部２０は、主に、照明光源２１、受光センサ２８、結像レンズ２７、カバー５０等の光学系と、メモリ３５、制御回路４０、トリガースイッチ４２等のマイクロコンピュータ（以下「マイコン」という）系と、から構成されている。
【００１２】
バーコードリーダ１０の光学系は、投光光学系と、受光光学系とに分かれている。投光光学系を構成する照明光源２１は、照明光Ｌｆを発光可能な照明光源として機能するもので、赤色のＬＥＤ２２とこのＬＥＤ２２の出射側に設けられるレンズ２３とから構成されている。なお、図１および図２では、バーコードＢが付された物品Ｒに向けて照明光Ｌｆを照射する例を概念的に示している。
【００１３】
受光光学系は、受光センサ２８、カバー５０、結像レンズ２７、反射鏡２４などによって構成されている。受光センサ２８は、バーコードＢに照射されて反射した反射光Ｌｒを受光可能に構成されている。この受光センサ２８は、その受光面２８ａが制御基板２６の上面２６ａに向かう光を受光可能に当該上面２６ａに実装されている。
【００１４】
この制御基板２６は、図１に示すように、筐体１１の底面１１ａに後述するトリガースイッチ４２が配置されるため、このトリガースイッチ４２との接点が設けられる下面２６ｂを筐体１１の底面１１ａに近接させるように、当該筐体１１内の底部に配置されている。これにより、受光センサ２８は、その受光面２８ａが筐体１１内にて上方を向くように配置されることとなる。
【００１５】
図３に示すように、カバー５０は、カバー本体５１と、このカバー本体５１に貼着されるミラーフィルム５２とから構成されている。カバー本体５１は、ポリカーボネイトまたはＰＥＴフィルム等の光透過性を有する樹脂材料により、断面逆Ｖ字状の透過部５１ａとこの透過部５１ａの長手方向（図３中で紙面に直交する方向）の両端部を塞ぐ側壁５１ｂとが一体成形されて、下方に矩形状の開口部５１ｃを有するように形成されている。なお、カバー５０は、特許請求の範囲に記載の「防塵部材」の一例に相当し、カバー本体５１は、特許請求の範囲に記載の「防塵部材本体」または「透過部」の一例に相当し、ミラーフィルム５２は、特許請求の範囲に記載の「反射部」または「反射膜」の一例に相当する。
【００１６】
ミラーフィルム５２は、後述するようにカバー５０により受光センサ２８を覆うときに、受光センサ２８の受光面２８ａの直上に位置するカバー本体５１の内面に貼着されている。これにより、ミラーフィルム５２は、カバー本体５１の透過部５１ａを透過する反射光Ｌｒを受光面２８ａに向けて反射させる役割を果たす。
【００１７】
上述のように構成されるカバー５０は、そのカバー本体５１により受光センサ２８を覆うように、当該カバー本体５１の開口部５１ｃを制御基板２６の上面２６ａに接触させて、当該制御基板２６に固定される。このため、受光センサ２８は、カバー５０と制御基板２６の上面２６ａとに覆われる閉塞空間Ｓ内に配置されることとなる。これにより、カバー５０は、制御基板２６の上面２６ａとにより受光センサ２８を防塵する防塵機能を有するとともに、カバー本体５１の透過部５１ａを透過する結像レンズ２７からの光をミラーフィルム５２にて受光センサ２８の受光面２８ａに反射する機能を有する。
【００１８】
このように、カバー５０は受光センサ２８のみを覆っているので、閉塞空間Ｓが小さくなり、この閉塞領域Ｓ内にて埃等が発生する要因を減らすことができる。また、カバー５０は、カバー本体５１の透過部５１ａにミラーフィルム５２を貼着して構成されており、擦れあう部位はカバー本体５１の開口部５１ｃと制御基板２６の上面２６ａとの間の接触部位だけで、他に擦れあって埃等が発生してしまうような部材がないので、カバー５０による受光センサ２８の防塵効果がさらに高まることとなる。
【００１９】
結像レンズ２７は、外部から読取口１８、防塵プレート１９および反射鏡２４を介して入射する入射光を集光し、カバー５０を介して受光センサ２８の受光面２８ａに像を結像可能な結像光学系として機能するものである。
【００２０】
マイコン系は、増幅回路３１、Ａ／Ｄ変換回路３３、メモリ３５、アドレス発生回路３６、同期信号発生回路３８、制御回路４０、トリガースイッチ４２、発光部４３、ブザー４４、バイブレータ４５、液晶表示器４６、通信インタフェース４８等から構成されている。なお、制御回路４０等は、制御基板２６上に実装されている。
【００２１】
光学系の受光センサ２８から出力される画像信号（アナログ信号）は、増幅回路３１に入力されることで所定ゲインで増幅された後、Ａ／Ｄ変換回路３３に入力されると、アナログ信号からディジタル信号に変換される。そして、ディジタル化された画像信号、つまり画像データ（画像情報）は、生成されてメモリ３５に入力されると、所定のコード画像情報格納領域に蓄積される。なお、同期信号発生回路３８は、受光センサ２８およびアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【００２２】
制御回路４０は、バーコードリーダ１０全体を制御可能なマイコンによって構成されており、ＣＰＵ、システムバス、入出力インタフェース等からなるものである。この制御回路４０は、メモリ３５とともに情報処理装置を構成し得るものであり情報処理機能を有している。また、制御回路４０は、内蔵された入出力インタフェースを介して種々の入出力装置と接続可能に構成されており、本実施形態の場合、トリガースイッチ４２、発光部４３、ブザー４４、バイブレータ４５、液晶表示器４６、通信インタフェース４８等と接続されている。
【００２３】
これにより、制御回路４０は、例えば、読取開始を指示するためのトリガースイッチ４２の監視や管理、バーコードＢの読み取りに関する情報を報知するインジケータとして機能する発光部４３の点灯・消灯、ビープ音やアラーム音を発生可能なブザー４４の鳴動のオンオフ、当該バーコードリーダ１０の使用者に伝達し得る振動を発生可能なバイブレータ４５の駆動制御、液晶表示器４６の表示制御や外部装置とのシリアル通信を可能にする通信インタフェース４８の通信制御等を可能にしている。
【００２４】
上述のようにバーコードリーダ１０が構成されることにより、トリガースイッチ４２の操作に応じて照明光源２１から照射された照明光ＬｆがバーコードＢにて反射されると、この反射光Ｌｒが読取口１８および防塵プレート１９を介して筐体１１内に入射する。この反射光Ｌｒが反射鏡２４を介して結像レンズ２７で集光され、カバー５０の透過部５１ａを透過した後にミラーフィルム５２にて反射されることで、受光センサ２８の受光面２８ａにバーコードＢに応じたコード像が結像される。
【００２５】
以上説明したように、本実施形態に係るバーコードリーダ１０では、制御基板２６がその下面２６ｂにて筐体１１の底面１１ａに近接するように当該筐体１１内に配置されており、この制御基板２６の上面２６ａには、受光センサ２８が、その受光面２８ａにて当該上面２６ａに向かう光を受光可能に実装されている。また、制御基板２６の上面２６ａ上には、受光センサ２８のみを覆うようにカバー５０が固定されており、このカバー５０は、反射光Ｌｒが透過するカバー本体５１の透過部５１ａとこの透過部５１ａを透過した反射光Ｌｒを受光面２８ａに向けて反射するミラーフィルム５２とを有している。
【００２６】
このように、カバー５０は受光センサ２８のみを覆うので、カバー５０および制御基板２６の上面２６ａによって受光センサ２８が覆われる閉塞空間Ｓが小さくなり、この閉塞領域Ｓ内にて埃等が発生する要因を減らすことができる。これにより、受光面２８ａが筐体１１内にて上方を向くように受光センサ２８が制御基板２６の上面２６ａに実装される場合でも、受光面２８ａへの埃等の付着を確実に抑制することができる。また、カバー５０は、反射光Ｌｒが透過するカバー本体５１とこのカバー本体５１を透過した反射光Ｌｒを受光面２８ａに向けて反射するミラーフィルム５２とを有しているので、受光センサ２８への反射光Ｌｒの受光が妨げられることもない。
したがって、制御基板２６に実装される受光センサ２８の受光面２８ａを確実に防塵することができる。
【００２７】
また、本実施形態に係るバーコードリーダ１０では、カバー５０は、反射光Ｌｒが透過可能であって受光センサ２８のみを覆うカバー本体５１を備え、このカバー本体５１の一部である透過部５１ａが反射光Ｌｒを透過する透過部を構成するとともに当該カバー本体５１の壁面に貼着されるミラーフィルム５２が反射部を構成する。これにより、カバー５０は、擦れあって埃等が発生してしまう複数の部材をなくすように構成されて受光センサ２８のみを覆うので、カバー５０による受光センサ２８の防塵効果をさらに高めることができる。
【００２８】
なお、本発明は上記実施形態に限定されるものではなく、以下のように具体化してもよく、その場合でも、上記実施形態と同等の作用・効果が得られる。
（１）図４は、カバーの変形例の詳細形状を示す拡大断面図である。
カバー本体５１およびミラーフィルム５２から構成されるカバー５０に代えて、図４に示すカバー５０ａを採用してもよい。
図４に示すように、カバー５０ａは、カバー本体５１に対して透過部５１ｄおよび反射部５２ａが一体に形成されており、透過部５１ｄを透過した反射光Ｌｒが反射部５２ａにより受光センサ２８の受光面２８ａに反射可能に構成されている。なお、この場合、カバー本体５１は、透過部５１ｄを除き、光透過性を有しない材料で形成されてもよい。
【００２９】
このようにしても、カバー５０ａにおいて擦れあって埃等が発生してしまう複数の部材をなくすことができ、カバー５０ａによる受光センサ２８の防塵効果をさらに高めることができる。
【００３０】
（２）カバー本体５１の透過部５１ａは、断面逆Ｖ字状に形成されることに限らず、透過した反射光Ｌｒをミラーフィルム５２等により受光面２８ａに反射可能な構成であれば、例えば、曲面状に形成されてもよい。
【００３１】
（３）なお、上述した実施形態では、光学的情報読取装置として、バーコードリーダを例示して説明したが、これに限られることはなく、例えば、二次元コードリーダなど光学的に情報コードを読み取る装置であれば、上述と同様に作用および効果を得ることができる。
【図面の簡単な説明】
【００３２】
【図１】本実施形態に係るバーコードリーダの要部を概念的に説明する説明図である。
【図２】図１のバーコードリーダの電気的構成を概略的に例示するブロック図である。
【図３】カバーの詳細形状を示す拡大断面図である。
【図４】カバーの変形例の詳細形状を示す拡大断面図である。
【符号の説明】
【００３３】
１０…バーコードリーダ（光学的情報読取装置）
１１…筐体
２６…制御基板
２６ａ…上面（他側面）
２６ｂ…下面（一側面）
２８…受光センサ（受光手段）
２８ａ…受光面
４２…トリガースイッチ
５０…カバー（防塵部材）
５１…カバー本体（防塵部材本体）
５１ａ，５１ｄ…透過部
５２…ミラーフィルム（反射部，反射膜）
５２ａ…反射部
Ｂ…バーコード（情報コード）
Ｌｒ…反射光
Ｓ…閉塞空間
【図１】
2010113403.tif 000003
【図２】
2010113403.tif 000004
【図３】
2010113403.tif 000005
【図４】
2010113403.tif 000006